(57)【特許請求の範囲】
【請求項１】
電子部品実装装置におけるエラー情報表示装置であって、
ユーザによって任意に設定変更の可能性のあるエラー情報を表示する表示手段である、画面上にエラーメッセージを表示する画像表示装置および点灯するランプの色によりエラー情報を表示するシグナルタワーを少なくとも含むエラー情報を表示する複数の表示手段と、
前記電子部品実装装置のコントローラから発生されるエラーを特定する情報と前記複数の各表示手段がそれぞれ表示するエラー表示情報とが対になった、ユーザにて任意に変更できるテーブルと、
エラー発生時、前記テーブルを参照して、前記エラーを特定する情報を対応した各表示手段毎のエラー表示情報へ変換し、前記各表示手段へそれぞれ出力するエラー変換手段とを有するエラー情報表示装置。
【請求項２】
エラーを特定する情報と前記複数の各表示手段がそれぞれ表示するエラー表示情報とが対になったテーブルをユーザにて任意に変更できる入力手段
を有する請求項１記載のエラー情報表示装置。
【発明の詳細な説明】
【０００１】
【発明の属する技術分野】
本発明は、エラー情報表示装置、特に基板に電子部品を実装する電子部品実装装置におけるエラー情報の表示装置に関するものである。
【０００２】
【従来の技術】
電子部品実装の分野において、電子部品実装装置にエラーが発生した場合、エラー情報の表示を、画面へのエラーメッセージ表示、シグナルタワーによる点灯表示、ホストコンピュータへのエラー通知などにより行っている。
【０００３】
以下、従来のエラー情報表示装置について図４を用いて説明する。
１，２，３はそれぞれエラー情報を表示する表示手段であり、１は画面上にエラーメッセージを表示する画像表示装置（たとえば、ＣＲＴ）、２は点灯したランプの色によりエラー情報を表示するシグナルタワー、３はエラー情報を通知するホストコンピュータである。
【０００４】
また４は、エラーコード生成手段を形成する電子部品実装装置のコントローラであり、電子部品実装装置にエラーが発生すると、それぞれのエラーを特定する情報（エラーの内容、種別など）をエラーコードとして出力する。
【０００５】
また５は、従来のエラーコード処理手段であり、装置コントローラ４から出力されるエラーコードに対する、画像表示装置１、シグナルタワー２、およびホストコンピュータ３それぞれの各エラー情報（エラーメッセージ、点灯ランプの色、およびホストコマンド）の表示内容が固定的に記載され（たとえば、ソースプログラムとして記載され）、各エラー情報の表示内容が画像表示装置１、シグナルタワー２、およびホストコンピュータ３へ出力される。
【０００６】
以上のように構成された従来のエラー情報表示装置の表示方法について、図５に示すフローチャートを参照しながら説明する。
まず、電子部品実装装置においてエラーが発生すると（ステップ−１）、装置コントローラ４は、発生したエラーに対応するエラーコード（たとえば、”０００１”）を生成し、エラーコード処理手段５へ出力する（ステップ−２）。このエラーコードを入力したエラーコード処理手段５は、エラーコード”０００１”に対応するエラー表示情報（たとえば、エラーメッセージ“設備動作エラー”、シグナルタワー“赤点灯”、ホストコマンド“Ｒ０１”）を生成し、画像表示装置１、シグナルタワー２、およびホストコンピュータ３へ出力する（ステップ−３）。それぞれの画像表示装置１、シグナルタワー２、およびホストコンピュータ３は、エラー表示情報にてエラー情報を表示する（ステップ−４）。
【０００７】
【発明が解決しようとする課題】
しかしながら、従来のエラー情報表示装置では、エラーコードに対して、エラー表示内容が固定なため、ユーザ毎でのエラーメッセージ設定やシグナルタワーの色、点灯点滅条件などを任意に設定できないという問題があった。
【０００８】
本発明は、このようなエラー情報表示装置において、ユーザ毎にエラー情報の表示を任意に設定できることを目的とする。
【０００９】
【課題を解決するための手段】
本発明のエラー情報表示装置においては、電子部品実装装置におけるエラー情報表示装置であって、ユーザによって任意に設定変更の可能性のあるエラー情報を表示する表示手段である、画面上にエラーメッセージを表示する画像表示装置および点灯するランプの色によりエラー情報を表示するシグナルタワーを少なくとも含むエラー情報を表示する複数の表示手段と、前記電子部品実装装置のコントローラから発生されるエラーを特定する情報と前記複数の各表示手段がそれぞれ表示するエラー表示情報とが対になった、ユーザにて任意に変更できるテーブルと、エラー発生時、前記テーブルを参照して、前記エラーを特定する情報を対応した各表示手段毎のエラー表示情報へ変換し、前記各表示手段へそれぞれ出力するエラー変換手段を有することとしたものである。
【００１０】
この本発明によれば、エラーを特定する情報に対するエラー表示情報をユーザにて任意に設定できるエラー情報表示装置が得られる。
【００１１】
【発明の実施の形態】
本発明の請求項１に記載の発明は、電子部品実装装置におけるエラー情報表示装置であって、ユーザによって任意に設定変更の可能性のあるエラー情報を表示する表示手段である画面上にエラーメッセージを表示する画像表示装置および点灯するランプの色によりエラー情報を表示するシグナルタワーを少なくとも含むエラー情報を表示する複数の表示手段と、前記電子部品実装装置のコントローラから発生されるエラーを特定する情報と前記複数の各表示手段がそれぞれ表示するエラー表示情報とが対になった、ユーザにて任意に変更できるテーブルと、エラー発生時、前記テーブルを参照して、前記エラーを特定する情報を対応した各表示手段毎のエラー表示情報へ変換し、前記各表示手段へそれぞれ出力するエラー変換手段を有することとしたものであり、テーブルにおいてエラー情報に対する少なくとも画像表示装置およびシグナルタワーを含む各表示手段毎のエラーの表示情報（たとえば、画像表示装置のエラーメッセージ、シグナルタワーの点灯ランプの色や点滅条件、ホストコマンド）をユーザにて任意に設定できるという作用を有する。
請求項２に記載の発明は、請求項１記載のエラー情報表示装置であって、エラーを特定する情報と前記複数の各表示手段がそれぞれ表示するエラー表示情報とが対になったテーブルをユーザにて任意に変更できる入力手段を有することとしたものであり、入力手段を使用して、エラー情報に対するエラー表示情報をユーザにて任意に入力、変更、および追加が行えるという作用を有する。
【００１３】
以下、本発明の実施の形態について図１から図３を用いて説明する。なお、従来の技術の図４の構成と同一の構成には同一の符号を付して説明を省略する。
（実施の形態１）
図１は、本発明の実施の形態１におけるエラー情報表示装置の構成図である。
【００１４】
図１において、11はコンピュータからなるエラーコード処理コントローラであり、このエラーコード処理コントローラ11は、装置コントローラ４から出力されるエラーコード（エラーを特定する情報）と画像表示装置１、シグナルタワー２、およびホストコンピュータ３が表示するエラー情報（エラー表示情報）とが対になったエラーコード変換テーブル12と、このテーブル12を参照してエラーコードに対応したエラー表示情報へ変換するエラーコード変換手段13から構成されており、入力したエラーコードに対してエラーコード変換テーブル12を参照して各エラー情報の表示内容を決定する。
【００１５】
以上のように構成されたエラー情報表示装置の作用について、図２に示すフローチャートを参照しながら説明する。
まず、電子部品実装装置においてエラーが発生すると（ステップ−１）、装置コントローラ４は、発生したエラーに対応するエラーコード（たとえば、”０００１”）を生成し、エラーコード処理コントローラ11へ出力する（ステップ−２）。
【００１６】
そのエラーコードを入力したエラーコード処理コントローラ11のエラーコード変換手段13は、エラーコードによりエラーコード変換テーブル12を参照して（ステップ−３）、エラーコード”０００１”に対応したエラー表示情報（たとえば、画像表示装置１のエラーメッセージ“設備動作エラー”、シグナルタワー２の“赤点灯”、ホストコンピュータ３のホストコマンド“Ｒ０１”）を取得する（ステップ−４）。画像表示装置１、シグナルタワー２、およびホストコンピュータ３は、それぞれのエラー表示情報を表示する（ステップ−５）。
【００１７】
このように、従来のエラーコード処理手段５をエラーコード変換手段13とエラーコード変換テーブル12に分けたことにより、エラーコード変換テーブル12の変更のみで、エラー情報の表示内容を変更することができる。これにより、ソースプログラムの変更なしに点灯状態などのエラー情報の表示内容を設定でき、ソフトウェアをユーザごとに開発するコストを削減することができる。
（実施の形態２）
図３は、本発明の実施の形態２におけるエラー情報表示装置の構成図である。上記実施の形態１の図１の構成と同一の構成には同一の符号を付して説明を省略する。
【００１８】
図３において、14はエラーコード変換テーブル12に対して、エラーコードの追加、表示情報の変更を行うエラーコード変換テーブル入力変更手段であり、キーボードなどにより形成される。このエラーコード変換テーブル入力変更手段14により、ユーザは、任意にエラーコード変換テーブル12の内容、すなわち画像表示装置１のエラーメッセージ設定やシグナルタワー２の色、点灯点滅条件などを変更できる。エラーコード変換テーブル12を変更した場合、新たに発生したエラーに関しては、エラーコード変換手段13が、変更後のエラーコード変換テーブル12を参照し、変更後のエラー情報を表示する。
【００１９】
【発明の効果】
以上のように本発明によれば、エラーコード処理手段をエラーコード変換手段とエラーコード変換テーブルに分けたことにより、エラーコード変換テーブルの変更のみで、エラー情報の表示内容を変更することができるという有利な効果が得られる。
【図面の簡単な説明】
【図１】本発明の実施の形態１におけるエラー情報表示装置の構成図である。
【図２】同エラー情報表示装置の作用を説明するフローチャートである。
【図３】本発明の実施の形態２におけるエラー情報表示装置の構成図である。
【図４】従来のエラー情報表示装置の構成図である。
【図５】従来のエラー情報表示装置の作用を説明するフローチャートである。
【符号の説明】
１    画像表示装置（エラー情報表示手段）
２    シグナルタワー（エラー情報表示手段）
３    ホストコンピュータ（エラー情報表示手段）
４    装置コントローラ（エラーコード生成手段）
11    エラーコード処理コントローラ
12    エラーコード変換テーブル
13    エラーコード変換手段
14    エラーコード変換テーブル入力変更手段
【図１】
0004144912.tif 000002
【図２】
0004144912.tif 000003
【図３】
0004144912.tif 000004
【図４】
0004144912.tif 000005
【図５】
0004144912.tif 000006